(57)【要約】【課題】創蓄連携システムの運転が系統連系運転又は自立運転に移行するときに大きな電流が流れることを抑制し、かつ、自立負荷に電力が供給されない期間を短縮する連系制御装置、および、この制御装置を含む創蓄連携システムを提供する。【解決手段】連系制御装置は、分散電源と接続された昇圧回路を含む複数の分散電源装置と、分散電源装置から出力された直流電力を交流電力に変換して系統負荷および自立負荷の少なくとも一方に出力する系統連系インバータを有する創蓄連携システムを制御する。連系制御装置は、創蓄連携システムの自立運転又は系統連系運転への移行時に、系統連系インバータの出力電力を制限して、複数の昇圧回路の動作を停止させる（ステップＳ１２）。連系制御装置は、インバータの出力電力を制限した時間である制限期間が経過した後（ステップＳ１３）に複数の昇圧回路の動作を開始させる（ステップＳ１４）。【選択図】図２
2015080393.tif 000002
【特許請求の範囲】
【請求項１】
分散電源、および、前記分散電源と接続された昇圧回路を含む複数の分散電源装置と、前記分散電源装置から出力された直流電力を交流電力に変換し、変換した交流電力を系統負荷および自立負荷の少なくとも一方に出力するインバータを有し、系統電源との系統連系運転および自立運転を行う創蓄連携システムの連系制御装置であって、
自立運転又は系統連系運転への移行時に、前記インバータの出力電力を制限して、前記複数の昇圧回路の動作を停止させ、当該昇圧回路の動作を停止させる時間である制限期間が経過した後に、前記複数の昇圧回路の動作を開始させることを特徴とする連系制御装置。
【請求項２】
前記連系制御装置は、自立運転又は系統連系運転への移行時に、前記昇圧回路の動作を停止させた際、昇圧した電圧を昇圧回路の蓄電部に維持させ、前記制限期間が経過した後に、当該昇圧回路の蓄電部に蓄電された電荷を含めて、昇圧を開始させることを特徴とする請求項１に記載の連系制御装置。
【請求項３】
複数の前記分散電源装置のうちの１つが蓄電装置であり、前記連系制御装置は、前記制限期間が経過した後に、当該蓄電装置に蓄電された電荷を含めて、前記昇圧回路の昇圧を開始させることを特徴とする請求項１に記載の連系制御装置。
【請求項４】
前記創蓄連携システムは、複数の前記昇圧回路と接続された蓄電部を備え、前記インバータは、前記蓄電部から出力された直流電力を交流電力に変換し、変換した交流電力を常時自立負荷に出力しつつ、前記系統電源との系統連系運転時には併せて系統負荷にも出力し、
前記系統電源および前記インバータと前記系統負荷との接続形態、ならびに、前記系統電源および前記インバータと前記自立負荷との接続形態を切り替える電源切替部と、
前記系統電源の電圧の停電又は復電を示す信号に基づいて、系統連系運転又は自立運転を相互に切り替える切替信号を前記電源切替部に出力し、
前記昇圧回路の動作により前記蓄電部の電圧が基準電圧に達した後に、前記インバータの出力電力の制限を解除することを特徴とする請求項１〜３のいずれか一項に記載の連系制御装置。
【請求項５】
前記連系制御装置は、前記蓄電部の電圧を基準範囲に維持し、前記制限期間が経過した後に前記インバータの出力電力の制限を解除する請求項４に記載の連系制御装置。
【請求項６】
複数の前記分散電源装置のうちの１つが蓄電装置であり、前記連系制御装置は、前記切替信号を前記電源切替部に出力することにより、前記蓄電装置の出力電力を前記自立負荷に供給させることを特徴とする請求項５に記載の連系制御装置。
【請求項７】
前記複数の分散電源装置のうちの別の１つが太陽光発電装置であり、前記連系制御装置は、前記切替信号を前記電源切替部に出力することにより、前記太陽光発電装置を前記系統電源から解列し、前記蓄電装置の出力電力を前記自立負荷に供給させる請求項６に記載の連系制御装置。
【請求項８】
前記連系制御装置は、前記インバータの出力電力を制限しているとき、前記太陽光発電装置に発電させ、発電した電力を前記蓄電装置に供給させることを特徴とする請求項７に記載の連系制御装置。
【請求項９】
請求項１〜８のいずれか一項に記載の連系制御装置を含む創蓄連携システム。
【発明の詳細な説明】
【技術分野】
【０００１】
本発明は、連系制御装置、および、この制御装置を含む創蓄連携システムに関する。
【背景技術】
【０００２】
創蓄連携システムの一例は、太陽電池、蓄電池、燃料電池などの分散電源、電源切替部、および、系統連系インバータ、連系制御装置が含まれる。創蓄連携システムが系統連系運転をしているときは、太陽電池などの逆潮流を認められた分散電源が、系統連系インバータを介して系統電源と接続されて、当該分散電源および系統電源の電力が系統用負荷および自立用負荷に供給される。一方、系統電源の停電など、当該系統電源の電圧低下を検知したときは、分散電源を系統電源から解列させて、創蓄連携システムが自立運転を開始する。この場合、分散電源から供給される電力は、自立用負荷へと供給される。
【先行技術文献】
【特許文献】
【０００３】
【特許文献１】特開２０００−９２７２０号公報
【発明の概要】
【発明が解決しようとする課題】
【０００４】
特許文献１の連系制御装置によれば、系統電源の電圧が低下したことを検知したとき、系統連系運転から自立運転に短時間で切り替える。このため、第１インバータを停止させる制御、第２インバータを起動する制御、および、第１インバータを解列する制御が、実質的に同じタイミングにおいて実行される。このため、第１インバータの停止、および、第１インバータの解列のタイミングと第２インバータの起動タイミングの関係により、第２インバータに過大な過渡電流および突入電流が流れるおそれがある。
【０００５】
一方、過渡電流および突入電流を小さくする構成としては、例えば、特許文献１における従来技術のように、シーケンス方式のリレー回路を用いる構成が考えられる。しかし、この構成によれば、特許文献１に記載されているとおり、自立負荷に電力が供給されない期間が長くなるおそれがある。
【０００６】
本発明の目的は、創蓄連携システムの運転が系統連系運転又は自立運転に移行するときに大きな電流が流れることを抑制し、かつ、自立負荷に電力が供給されない期間を短縮する連系制御装置、および、この制御装置を含む創蓄連携システムを提供することである。
【課題を解決するための手段】
【０００７】
〔１〕本連系制御装置の独立した一形態は、次の事項を含む。分散電源、および、前記分散電源と接続された昇圧回路を含む複数の分散電源装置と、前記分散電源装置から出力された直流電力を交流電力に変換し、変換した交流電力を系統負荷および自立負荷の少なくとも一方に出力するインバータを有し、系統電源との系統連系運転および自立運転を行う創蓄連携システムの連系制御装置であって、自立運転又は系統連系運転への移行時に、前記インバータの出力電力を制限して、前記複数の昇圧回路の動作を停止させ、当該昇圧回路の動作を停止させる時間である制限期間が経過した後に、前記複数の昇圧回路の動作を開始させる。
【０００８】
〔２〕前記独立した一形態の連系制御装置に従属する一形態は、次の事項を含む。前記連系制御装置は、自立運転又は系統連系運転への移行時に、前記昇圧回路の動作を停止させた際、昇圧した電圧を昇圧回路の蓄電部に維持させ、前記制限期間が経過した後に、当該昇圧回路の蓄電部に蓄電された電荷を含めて、昇圧を開始させる。
【０００９】
〔３〕前記独立した一形態の連系制御装置に従属する一形態は、次の事項を含む。複数の前記分散電源装置のうちの１つが蓄電装置であり、前記連系制御装置は、前記制限期間が経過した後に、当該蓄電装置に蓄電された電荷を含めて、前記昇圧回路の昇圧を開始させる。
【００１０】
〔４〕前記独立した一形態の連系制御装置に従属する一形態は、次の事項を含む。前記創蓄連携システムは、複数の前記昇圧回路と接続された蓄電部を備え、前記インバータは、前記蓄電部から出力された直流電力を交流電力に変換し、変換した交流電力を常時自立負荷に出力しつつ、前記系統電源との系統連系運転時には併せて系統負荷にも出力し、前記系統電源および前記インバータと前記系統負荷との接続形態、ならびに、前記系統電源および前記インバータと前記自立負荷との接続形態を切り替える電源切替部と、前記系統電源の電圧の停電又は復電を示す信号に基づいて、系統連系運転又は自立運転を相互に切り替える切替信号を前記電源切替部に出力し、前記昇圧回路の動作により前記蓄電部の電圧が基準電圧に達した後に、前記インバータの出力電力の制限を解除する。
【００１１】
〔５〕前記独立した一形態の連系制御装置に従属する一形態は、次の事項を含む。前記連系制御装置は、前記蓄電部の電圧を基準範囲に維持し、前記制限期間が経過した後に前記インバータの出力電力の制限を解除する。
【００１２】
〔６〕前記独立した一形態の連系制御装置に従属する一形態は、次の事項を含む。複数の分散電源装置のうちの１つが前記蓄電装置であり、前記連系制御装置は、前記切替信号を前記電源切替部に出力することにより、前記蓄電装置の出力電力を前記自立負荷に供給させる。
【００１３】
〔７〕前記独立した一形態の連系制御装置に従属する一形態は、次の事項を含む。前記複数の分散電源装置のうちの別の１つが太陽光発電装置であり、前記連系制御装置は、前記切替信号を前記電源切替部に出力することにより、前記太陽光発電装置を前記系統電源から解列し、前記蓄電装置の出力電力を前記自立負荷に供給させる。
【００１４】
〔８〕前記独立した一形態の連系制御装置に従属する一形態は、次の事項を含む。前記連系制御装置は、前記インバータの出力電力を制限しているとき、前記太陽光発電装置に発電させ、発電した電力を前記蓄電装置に供給させる。
【００１５】
〔９〕本創蓄連携システムの独立した一形態は、次の事項を含む。上記記載の連系制御装置を含む。
【発明の効果】
【００１６】
本連系制御装置、および、この制御装置を含む創蓄連携システムによれば、創蓄連携システムの運転が系統連系運転又は自立運転に移行するときに大きな電流が流れることが抑制され、かつ、自立負荷に電力が供給されない期間が短縮される。
【図面の簡単な説明】
【００１７】
【図１】第１実施形態の創蓄連携システムのブロック図。
【図２】第１実施形態の創蓄連携システムの連系自立自動切替処理フローチャート。
【図３】第１実施形態の創蓄連携システムの自立運転又は系統連系運転への移行時のタイムチャート。
【図４】第２実施形態の創蓄連携システムの自立運転又は系統連系運転への移行時のタイムチャート。
【発明を実施するための形態】
【００１８】
（第１実施形態）
上述の各手段を具体化した第１実施形態を図１のブロック図を参照して説明する。同図は、創蓄連携システム１０の構成図である。
【００１９】
創蓄連携システム１０は、創エネシステムとしての太陽光発電装置２０、蓄エネシステムとしての蓄電装置３０を有し、さらに、連系制御装置６０、直流電力を交流電力に変換するインバータである系統連系インバータ４０、および、電源切替部５０を備えている。太陽光発電装置２０は、直流電源としての太陽光電池２１および昇圧回路２２を備えている。昇圧回路２２は、内部に昇圧回路の蓄電部としての第１コンデンサ２３を有している。蓄電装置３０は、補助電源としての蓄電池３１および双方向昇圧回路３２を備えている。双方向昇圧回路３２は、内部に昇圧回路の蓄電部としての第２コンデンサ３３を有している。
【００２０】
太陽光発電装置２０の出力および蓄電装置３０の出力は、分散電源側共通線２４に接続され、系統連系インバータ４０に供給される。分散電源側共通線２４には、蓄電部としての大容量の第３コンデンサ１２が接続されている。蓄電池３１は、例えば、鉛蓄電池やリチウムイオン電池などが用いられている。なお、上述の例では、太陽光発電装置２０および蓄電装置３０の分散電源を用いる例を説明したが、さらに燃料電池装置（図示ぜず）を含む３電池連携システムであっても良いものである。
【００２１】
電源切替部５０は、連系開閉器５１、自立開閉器５２、および、連系自立切替部５３を有している。
系統連系インバータ４０は、連系出力端子４１および自立出力端子４２を有している。系統連系インバータ４０の連系出力端子４１は、連系開閉器５１を介して系統電源側電源線５４に接続されている。系統連系インバータ４０の自立出力端子４２は、自立開閉器５２を介して連系自立切替部５３に供給されている。連系開閉器５１および自立開閉器５２は、例えば、半導体スイッチを用いて構成されている。
【００２２】
商用電源である系統電源１１が接続された系統電源側電源線５４には、系統負荷１３が接続されている。連系自立切替部５３は、系統電源側電源線５４および自立開閉器５２に接続されるとともに、自立負荷１４が接続されている。
【００２３】
なお、連系制御装置６０は、例えば、汎用の信号処理装置であるＤＳＰ（Digital Signal Processor）を用いて構成されている。連系制御装置６０は、信号線１５を介して、分散電源である太陽光発電装置２０と蓄電装置３０、系統連系インバータ４０、および、電源切替部５０とそれぞれ接続され、各部に制御信号を供給している。
【００２４】
次に、上記の構成を踏まえて、創蓄連携システム１０の系統連系運転および自立運転の動作について説明する。
太陽光発電装置２０の昇圧回路２２は、太陽光電池２１が発電する発電電圧を昇圧して、分散電源側共通線２４に出力する。同様に、蓄電装置３０の双方向昇圧回路３２は、蓄電池３１が蓄えている電力の電圧を昇圧して分散電源側共通線２４に出力する。なお、双方向昇圧回路３２は、太陽光電池２１が発電した電力を蓄電池３１に供給可能に構成されている。
【００２５】
創蓄連携システム１０は、系統電源１１との系統連系運転時には、連系制御装置６０からの制御に基づいて、連系開閉器５１が導通状態、自立開閉器５２が遮断状態とされる。また、連系自立切替部５３は、系統電源側電源線５４と自立負荷１４が電気的に接続されている系統連系運転状態に設定される。このため、系統連系運転時には、系統電源１１と分散電源である太陽光発電装置２０および蓄電装置３０が電気的に接続されている状態に設定される。系統連系運転時には、系統連系インバータ４０が太陽光発電装置２０および蓄電装置３０の両方又はいずれか一方から電力を取り出して系統電源１１に同期した交流電力に変換する。系統連系インバータ４０は、この交流電力を連系出力端子４１から連系開閉器５１を介して系統負荷１３に供給する。また、系統連系インバータ４０は、交流電力を連系出力端子４１から連系開閉器５１、系統電源側電源線５４、および、連系自立切替部５３を介して自立負荷１４に供給する。太陽光発電装置２０および蓄電装置３０の両方又はいずれか一方が供給する電力が不足するとき、不足分の電力を系統電源１１から系統電源側電源線５４を介して、系統負荷１３および自立負荷１４に供給する。
【００２６】
連系制御装置６０は、系統電源１１が停電したことを示す信号に基づいて、創蓄連携システム１０を系統連系運転から自立運転に移行させる制御を行う。
連系制御装置６０は、系統連系運転から自立運転に移行するとき、連系開閉器５１を導通状態から遮断状態に切り替えることにより、系統連系インバータ４０を系統電源側電源線５４から解列する。つまり、連系制御装置６０は、太陽光発電装置２０および蓄電装置３０の両方又はいずれか一方の出力から系統連系インバータ４０を介して系統負荷１３に供給していた電力を遮断する。また、連系制御装置６０は、連系自立切替部５３を、自立開閉器５２と自立負荷１４が電気的に接続されている自立運転状態に切り替えるとともに、自立開閉器５２を遮断状態から導通状態に切り替える。
【００２７】
このように、連系制御装置６０は、連系開閉器５１、自立開閉器５２、および、連系自立切替部５３の設定を系統連系運転状態から自立運転状態に切り替えることにより、系統連系インバータ４０から自立負荷１４に電力供給が可能な状態を設定する。
【００２８】
自立運転においては、系統連系インバータ４０が蓄電装置３０から電力を取り出して交流電力に変換して、この交流電力を自立出力端子４２から自立開閉器５２および連系自立切替部５３を介して自立負荷１４に供給する。このため、創蓄連携システム１０は、系統電源１１が停電した場合であっても、自立負荷１４に電力を供給することができる。
【００２９】
連系制御装置６０は、系統電源１１が復電したことを示す信号に基づいて、創蓄連携システム１０を自立運転から系統連系運転に移行させる制御を行う。連系制御装置６０は、自立運転の設定状態となっている電源切替部５０の連系開閉器５１、自立開閉器５２、および、連系自立切替部５３を系統連系運転の設定状態に切り替える。
【００３０】
創蓄連携システム１０は、系統連系運転又は自立運転への移行時に、電源切替部５０の切り替えを短期間に行うことにより、自立負荷１４に電力が供給されない期間を短くすることができる。このため、連系制御装置６０は、連系開閉器５１、自立開閉器５２、および、連系自立切替部５３の切り替えを同じタイミングで実行する。
【００３１】
同じタイミングでの切り替えが実行されるとき、連系開閉器５１、自立開閉器５２、および、連系自立切替部５３は、過渡状態を経由して系統連系運転の設定又は自立運転の設定に切り替る。過渡状態は、例えば、系統連系インバータ４０の自立出力端子４２が系統負荷１３および系統電源１１に接続された状態のように、系統連系運転の設定および自立運転の設定のいずれとも異なる状態である。
【００３２】
ここで、第１実施形態に特徴的な構成として、連系制御装置６０は、昇圧回路２２、双方向昇圧回路３２、および、系統連系インバータ４０を停止させることにより、系統連系インバータ４０の出力電力を制限して電源切替部５０の切り替えを行う。したがって、電源切替部５０が過渡状態において、どのような設定状態となるときであっても、系統連系インバータ４０は、供給する電流が制限されている。実施形態においては、系統連系インバータ４０は、停止されているため、電流の供給が遮断される。
【００３３】
また、連系制御装置６０は、昇圧回路２２および双方向昇圧回路３２を停止させる時間を制限期間としてあらかじめ設定している。連系制御装置６０は、制限期間が経過した後に昇圧回路２２および双方向昇圧回路３２の動作を開始する。連系制御装置６０は、昇圧回路２２および双方向昇圧回路３２の出力が接続された分散電源側共通線２４の電圧であって、分散電源側共通線２４に接続された第３コンデンサの電圧を基準電圧と比較する。連系制御装置６０は第３コンデンサの電圧が基準電圧に達したことを判定した後に、系統連系インバータ４０を起動することにより、出力電力の制限を解除するようになっている。したがって、第１実施形態にあっては、創蓄連携システム１０の運転が系統連系運転又は自立運転に移行するときに大きな電流が流れることを抑制し、かつ、自立負荷１４に電力が供給されない期間を短縮することができる。
【００３４】
図２を参照して、連系自立運転自動切替処理について、各ステップを順番に説明する。
連系制御装置６０は、創蓄連携システム１０が系統連系運転又は自立運転を行っているとき、この連系自立運転自動切替処理を実行する。
【００３５】
連系制御装置６０は、ステップＳ１１において、系統電源１１の停電又は復電が発生したか否かを判定する。連系制御装置６０は、ステップＳ１１において、系統電源１１の停電又は復電が発生していないと判定する期間においては、ステップＳ１１を繰り返して、系統連系運転又は自立運転を継続する。
【００３６】
連系制御装置６０は、ステップＳ１１において、系統電源１１の停電又は復電が発生したと判定したとき、ステップＳ１２において、系統連系インバータ４０、昇圧回路２２、および、双方向昇圧回路３２を停止させる。このため、系統連系インバータ４０は、出力電力が制限される。また、連系制御装置６０は、電源切替部５０を自立運転又は系統連系運転の設定に切り替える。
【００３７】
連系制御装置６０は、ステップＳ１３において、制限期間として設定された時間が経過するまで待機する。連系制御装置６０は、ステップＳ１４において、昇圧回路２２および双方向昇圧回路３２を起動させて昇圧出力を第３コンデンサ１２に供給させる。
【００３８】
連系制御装置６０は、ステップＳ１５において、系統連系インバータ４０の入力電圧である第３コンデンサ１２の電圧が基準電圧に達したか否かを判定する。連系制御装置６０は、第３コンデンサ１２の電圧が基準電圧に達するまでステップＳ１５を繰り返す。連系制御装置６０は、ステップＳ１５において、第３コンデンサ１２の電圧が基準電圧に達したと判定したとき、ステップＳ１６において、系統連系インバータ４０を起動させることにより、出力電力の制限を解除する。
【００３９】
図３のタイムチャートを参照して、系統連系運転又は自立運転への移行時の動作について説明する。図３の説明においては、系統連系運転から自立運転に移行する場合について記載している。
【００４０】
時刻ｔ１で系統電源１１の停電を検出すると、連系制御装置６０は、系統連系インバータ４０、昇圧回路２２、および、双方向昇圧回路３２の動作を停止させる。このため、昇圧回路２２および双方向昇圧回路３２の出力が接続された第３コンデンサ１２の蓄積電荷が放電されて電圧が降下する。
【００４１】
連系制御装置６０は、時刻ｔ１において連系開閉器５１、自立開閉器５２、および、連系自立切替部５３に対して、系統連系運転の設定から自立運転の設定へ切り替える制御信号を供給する。
【００４２】
連系制御装置６０は、時刻ｔ１〜時刻ｔ２の期間を制限期間ｔＳＷとして設定している。電源切替部５０は、この制限期間ｔＳＷの間に、系統連系運転の設定から自立運転の設定に切り替わる。制限期間ｔＳＷの長さは、連系開閉器５１、自立開閉器５２、および、連系自立切替部５３の切替特性の変化幅の大きさを考慮して設定される。
【００４３】
連系制御装置６０は、制限期間ｔＳＷが経過する時刻ｔ２において、双方向昇圧回路３２の動作を開始させる。このため、第３コンデンサ１２の電位は、時刻ｔ２以降に徐々に上昇する。
【００４４】
連系制御装置６０は、時刻ｔ３で第３コンデンサ１２の電位が基準電電圧に達したことを検知すると系統連系インバータ４０を起動する。このため、系統連系インバータ４０は、時刻ｔ３において、出力電力の制限が解除されて交流電力を出力する。
【００４５】
連系制御装置６０は、時刻ｔ１〜時刻ｔ３の系統連系インバータ４０の出力電力を制限している期間において、太陽光発電装置２０に発電させて、発電した電力を蓄電装置３０に供給させる。
【００４６】
なお、自立運転から系統連系運転に移行する場合についても、連系制御装置６０は、上記説明と同様の制御を実行する。
創蓄連携システム１０は、以下の効果を奏する。
【００４７】
（１）連系制御装置６０は、自立運転又は系統連系運転への移行時に、系統連系インバータ４０、昇圧回路２２、および、双方向昇圧回路３２の動作を停止させ、系統連系インバータ４０の出力電力を制限する。連系制御装置６０は、昇圧回路２２および双方向昇圧回路３２を停止させる時間である制限期間が経過した後に、昇圧回路２２、および、双方向昇圧回路３２の昇圧回路の動作を開始させる。
【００４８】
この構成によれば、系統連系インバータ４０は、自立運転又は系統連系運転への移行時に、連系出力端子４１および自立出力端子４２に接続される系統連系インバータ４０の負荷の状態とは無関係に、出力電流が制限される。このため、自立運転又は系統連系運転への移行時に、系統連系インバータ４０、昇圧回路２２、および、双方向昇圧回路３２は、大きな電流が流れることが抑制される。
【００４９】
（２）創蓄連携システム１０は、常時自立負荷に出力しつつ、前記系統電源との系統連系運転時には併せて系統負荷にも出力し、系統連系インバータ４０と系統負荷１３および自立負荷１４との接続状態を切り替える電源切替部５０を有している。連系制御装置６０は、自立運転又は系統連系運転への移行時に、切替信号を電源切替部５０に出力し、昇圧回路２２、および、双方向昇圧回路３２の出力電圧が基準電圧に達した後に系統連系インバータ４０の出力電流の制限を解除する。
【００５０】
この構成によれば、自立運転又は系統連系運転への移行時に、系統連系インバータ４０は、電源切替部５０の設定状態とは無関係に出力電流が制限される。このため、創蓄連携システム１０は、電源切替部５０の連系開閉器５１、自立開閉器５２、および、連系自立切替部５３を同じタイミングで切り替えることができる。このため、創蓄連携システム１０は、系統連系運転又は自立運転への移行時に、自立負荷１４に電力が供給されない期間を短縮することができる。
【００５１】
（３）創蓄連携システム１０は、複数の分散電源装置のうちの１つが蓄電装置３０である。連系制御装置６０は、創蓄連携システム１０を系統連系運転から自立運転に移行させるとき、切替信号を電源切替部５０に出力することにより、蓄電装置３０の出力電力を前記自立負荷に供給させる。
【００５２】
この構成によれば、創蓄連携システム１０の自立運転時に、蓄電装置３０が蓄えている電力を自立負荷に供給することができる。このため、創蓄連携システム１０は、自立運転時に、安定した電力を自立負荷に供給することができる。
【００５３】
（４）創蓄連携システム１０は、複数の分散電源装置のうちの別の１つが太陽光発電装置２０である。連系制御装置６０は、切替信号を電源切替部５０に出力することにより、太陽光発電装置２０を系統電源１１から解列し、蓄電装置３０の出力電力を自立負荷１４に供給させる。
【００５４】
この構成によれば、創蓄連携システム１０の自立運転時に、太陽光発電装置２０が発電する電力を用いること無く、蓄電装置３０の出力電力を自立負荷１４に供給する。このため、創蓄連携システム１０は、自立運転時に、より安定した電力を自立負荷に供給することができる。
【００５５】
（５）連系制御装置６０は、系統連系インバータ４０の出力電力を制限しているとき、太陽光発電装置２０に発電させ、発電した電力を蓄電装置３０に供給させる。
この構成によれば、創蓄連携システム１０は、太陽光発電装置２０が発電する電力を効率よく利用することができる。
【００５６】
（６）創蓄連携システム１０は、上記構成の連系制御装置６０を備える。
この構成によれば、系統連系運転又は自立運転に移行するときに大きな電流が流れることを抑制し、かつ、自立負荷に電力が供給されない期間を短縮する創蓄連携システムが得られる。
【００５７】
（第２実施形態）
第２実施形態の創蓄連携システム１０は、以下の部分において、第１実施形態の創蓄連携システム１０と異なる。第１実施形態の創蓄連携システム１０における連系制御装置６０は、創蓄連携システム１０の自立運転又は系統連系運転への移行時に、昇圧回路２２および双方向昇圧回路３２の動作を停止させることにより、第３コンデンサの電荷が放電して電圧が低下する。一方、第２実施形態の創蓄連携システム１０における連系制御装置６０は、自立運転又は系統連系運転への移行時に、昇圧回路２２および双方向昇圧回路３２を停止させた際、昇圧した電圧を第１コンデンサ２３および第２コンデンサ３３に維持する。
【００５８】
図４を参照して、系統連系運転および自立運転への移行時の動作について説明する。図４の説明においては、系統連系運転から自立運転に移行する場合について記載している。
時刻ｔ１で系統電源１１の停電を検出すると、連系制御装置６０は、系統連系インバータ４０、昇圧回路２２、および、双方向昇圧回路３２の動作を停止させる。このため、系統連系インバータ４０は、出力を停止する。連系制御装置６０は、昇圧回路２２および双方向昇圧回路３２の動作を停止させるとき、第１コンデンサ２３および第２コンデンサ３３に蓄積されている昇圧された電圧の電荷を保持させる。連系制御装置６０は、昇圧回路２２および双方向昇圧回路３２に存在する電荷の放電経路を遮断することにより、第１コンデンサ２３および第２コンデンサ３３に電荷を保持させる。昇圧回路２２および双方向昇圧回路３２の出力の電荷の放電経路を遮断することにより、第３コンデンサ１２は、同様に、蓄積されている電荷を保持する。
【００５９】
連系制御装置６０は、時刻ｔ１において連系開閉器５１、自立開閉器５２、および、連系自立切替部５３に対して、系統連系運転の設定から自立運転の設定に切り替える制御信号を供給する。
【００６０】
連系制御装置６０は、制限期間ｔＳＷが経過した時刻ｔ２において第３コンデンサ１２の電圧を判定する。第３コンデンサ１２は、時刻ｔ１で昇圧回路２２および双方向昇圧回路３２の動作が停止される直前の電圧を保持している。このため、連系制御装置６０は、時刻ｔ２において、第３コンデンサ１２の電圧が基準電圧に到達していること判定する。このため、連系制御装置６０は、時刻ｔ２において、系統連系インバータ４０および双方向昇圧回路３２の動作を開始させる。双方向昇圧回路３２は、第２コンデンサ３３に蓄積されている電荷を含めて、昇圧動作を開始する。
【００６１】
系統連系インバータ４０は、時刻ｔ２において動作を開始することにより、出力電力の制限が解除されて、交流電力を出力する。
なお、自立運転から系統連系運転に移行する場合についても、連系制御装置６０は、上記説明と同様の制御を実行する。
【００６２】
創蓄連携システム１０は、第１実施形態の創蓄連携システム１０が奏する（１）〜（６）と同様の効果を奏する。また、創蓄連携システム１０は、以下の効果を奏する。
（７）連系制御装置６０は、自立運転又は系統連系運転への移行時に、昇圧回路２２および双方向昇圧回路３２の動作を停止させた際、昇圧回路２２に第１コンデンサ２３に蓄積されている電荷を含めた昇圧動作を開始させる。また、双方向昇圧回路３２に第２コンデンサ３３に蓄積されている電荷を含めた昇圧動作を開始させる。
【００６３】
この構成によれば、連系制御装置６０は、自立運転又は系統連系運転への移行時に、系統連系インバータ４０の出力電力の制限を解除するタイミングを早めることができる。このため、創蓄連携システム１０は、自立運転又は系統連系運転への移行時に、自立負荷１４に電力が供給されない期間をさらに短縮することができる。
【００６４】
（８）複数の分散電源装置のうちの１つが蓄電装置３０であり、連系制御装置６０は、制限期間が経過した後に、蓄電装置３０に蓄電された電荷を含めて、双方向昇圧回路３２の昇圧を開始させる。
【００６５】
この構成によれば、創蓄連携システム１０は、自立運転又は系統連系運転への移行時に、安定した電圧を用いて昇圧を行うことができる。
（９）連系制御装置６０は、第３コンデンサ１２の電圧を基準範囲に維持し、昇圧回路２２および双方向昇圧回路３２を停止させた期間である制限期間が経過した後に系統連系インバータ４０の出力電力の制限を解除する。
【００６６】
この構成によれば、創蓄連携システム１０は、自立運転又は系統連系運転への移行時に、昇圧回路２２および双方向昇圧回路３２の動作が停止されるときの出力電圧の電荷を大容量の第３コンデンサ１２が保持する。このため、自立運転又は系統連系運転への移行時に、昇圧回路２２および双方向昇圧回路３２の動作が停止されるときの第３コンデンサ１２の電圧が安定する。このため、創蓄連携システム１０は、自立運転又は系統連系運転への移行時の動作を安定させることができる。
【００６７】
（その他の実施形態）
本創蓄連携システムは、第１実施形態および第２実施形態とは異なるその他の実施形態を含む。その他の実施形態は、一例として、以下に示される第１実施形態および第２実施形態の変形例としての形態を有する。なお、以下の各変形例は、技術的に矛盾しない範囲において互いに組み合わせることができる。
【００６８】
・第１および第２実施形態の連系制御装置６０は、系統連系インバータ４０を停止することにより、系統連系インバータ４０の出力を制限する。ただし、連系制御装置６０の制御は、１および第２実施形態に例示された内容に限られない。変形例の連系制御装置６０は、系統連系インバータ４０の駆動能力を小さくすることにより、出力を制限する。
【００６９】
・第１および第２実施形態の連系制御装置６０は、制限期間ｔＳＷにおいて、系統連系インバータ４０を停止して、連系開閉器５１、自立開閉器５２、および、連系自立切替部５３を自立運転の設定に切り替える。ただし、連系制御装置６０の制御は、１および第２実施形態に例示された内容に限られない。変形例の連系制御装置６０は、系統連系インバータ４０を停止して、所定時間が経過した後に連系開閉器５１、自立開閉器５２、および、連系自立切替部５３を自立運転の設定に切り替える。
【００７０】
・第１および第２実施形態の連系開閉器５１および自立開閉器５２は、半導体スイッチにより構成される。ただし、連系開閉器５１および自立開閉器５２の構成は、第１および第２実施形態に例示された内容に限られない。変形例の系統開閉器および自立開閉器は、リレーにより構成される。
【００７１】
・第１および第２実施形態の連系制御装置６０は、ＤＳＰを用いて構成されている。ただし、連系制御装置６０の構成は、第１および第２実施形態に例示された内容に限られない。変形例の連系制御装置は、ＣＰＵを用いて構成される。
【符号の説明】
【００７２】
１０…創蓄連携システム、１２、第３コンデンサ、１３…系統負荷、１４…自立負荷、２０…太陽光発電装置、２２…昇圧回路、２３…第１コンデンサ、３０…蓄電装置、３２…双方向昇圧回路、３３…第２コンデンサ、４０…系統連系インバータ、５０…電源切替部、６０…連系制御装置。
【図１】
2015080393.tif 000003
【図２】
2015080393.tif 000004
【図３】
2015080393.tif 000005
【図４】
2015080393.tif 000006